【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
無線電力供給環境において無線電力供給を選択的にスケジューリングする方法であって、
前記無線電力供給環境において、無線電力伝送システムによってネットワーク共有メッセージを送信することと、
前記ネットワーク共有メッセージの送信に応答して、前記無線電力伝送システムによって、無線電力供給環境における第１の無線電力受信機によって開始される無線電力の消費要求を受信することであって、前記無線電力の消費要求が前記第１の無線電力受信機を一意的に識別し、前記第１の無線電力受信機が、前記無線電力伝送システムと同期した１組の無線電力受信機に属することを決定することと、
前記無線電力供給環境において、方向付けられた無線電力を複数の無線電力受信機に供給するための無線電力供給スケジュールを生成することであって、前記無線電力供給スケジュールは、前記第１の無線電力受信機に割り当てられた１以上のタイムスロットを含む前記複数の無線電力受信機の間でタイムスライスされることと、
前記１以上のタイムスロット中に、方向付けられた無線電力を、前記第１の無線電力受信機に供給することを含む方法。
【請求項２】
前記第１の無線電力受信機が前記無線電力伝送システムと同期した前記１組の無線電力受信機に属していない場合、前記無線電力供給スケジュールには前記第１の無線電力受信機が組み込まれない、請求項１に記載の方法。
【請求項３】
前記無線電力供給スケジュールが、複数の階層の無線電力受信機を含む、請求項１に記載の方法。
【請求項４】
前記無線電力受信機の複数の階層が少なくとも第１の階層および第２の階層を含み、前記第１の階層の無線電力受信機が、前記無線電力供給スケジュールを生成する際に前記無線電力伝送システムによって前記第２の階層の無線電力受信機よりも優先される、請求項３に記載の方法。
【請求項５】
前記第１の無線電力受信機が、関連する優先順位を含む前記無線電力供給スケジュールに組み込まれる、請求項１に記載の方法。
【請求項６】
前記優先順位が、前記第１の無線電力受信機が同期済の前記１組の無線電力受信機に属している場合には高く、前記第１の無線電力受信機が同期済の前記１組の無線電力受信機に属していない場合には低い、請求項５に記載の方法。
【請求項７】
無線周波数電力を、前記第１の無線電力受信機が組み込まれている前記無線電力供給スケジュールに組み込まれた前記無線電力供給環境の前記無線電力受信機に供給すること
をさらに含む、請求項１に記載の方法。
【請求項８】
無線電力供給のために、前記第１の無線電力受信機を前記無線電力伝送システムと同期させること
をさらに含む、請求項１に記載の方法。
【請求項９】
無線電力供給のために前記第１の無線電力受信機を前記無線電力伝送システムと同期させることは、前記第１の無線電力受信機を前記無線電力伝送システムに登録することを含む、請求項８に記載の方法。
【請求項１０】
無線電力供給のために前記第１の無線電力受信機を前記無線電力伝送システムと同期させることは、前記第１の無線電力受信機をクラウドベースのシステムに登録することを含む、請求項８に記載の方法。
【請求項１１】
無線電力供給のために前記第１の無線電力受信機を前記無線電力伝送システムと同期させることは、前記第１の無線電力受信機の認証情報を前記無線電力伝送システムと共有することを含む、請求項８に記載の方法。
【請求項１２】
無線電力供給のために前記第１の無線電力受信機を前記無線電力伝送システムと同期させることは、第１の無線電力受信機および前記無線電力伝送システムの同期ボタンを互いに所定の期間で作動させることを含む、請求項８に記載の方法。
【請求項１３】
無線電力供給のために前記第１の無線電力受信機を前記無線電力伝送システムと同期させることは、前記第１の無線電力受信機のユーザから情報を取得することを含む、請求項８に記載の方法。
【請求項１４】
無線電力供給のために前記第１の無線電力受信機を前記無線電力伝送システムと同期させることは、決済情報を取得することを含む、請求項８に記載の方法。
【請求項１５】
無線電力伝送システムであって、
複数の無線周波数（ＲＦ）送受信機を有する適応的に位相調整されたアンテナアレイと、
前記適応的に位相調整されたアンテナアレイに接続された制御回路であって、
無線電力伝送環境において、１以上の送受信機にネットワーク共有メッセージを送信するように指示し、
無線電力供給環境における第１の無線電力受信機によって開始され、前記第１の無線電力受信機を一意的に識別する無線電力の消費要求を処理し、
前記第１の無線電力受信機が、前記無線電力伝送システムと同期した１組の無線電力受信機に属することを決定し、
前記無線電力供給環境において、方向付けられた無線電力を複数の無線電力受信機に供給するための無線電力供給スケジュールを生成し、前記無線電力供給スケジュールは、前記第１の無線電力受信機に割り当てられた１以上のタイムスロットを含む前記複数の無線電力受信機の間でタイムスライスされ、
１以上のタイムスロット中に、１以上の送受信機に、方向づけられた無線電力を前記第１の無線電力受信機に供給するように指示するように構成された、制御回路と
を含む、無線電力伝送システム。
【請求項１６】
前記第１の無線電力受信機が前記無線電力伝送システムと同期した前記１組の無線電力受信機に属していない場合、前記無線電力供給スケジュールには前記第１の無線電力受信機が組み込まれない、請求項１５に記載の無線電力伝送システム。
【請求項１７】
前記無線電力供給スケジュールには複数の階層の無線電力受信機が組み込まれ、前記複数の階層の無線電力受信機は少なくとも第１の階層および第２の階層を含み、前記第１の階層の無線電力受信機が、前記無線電力供給スケジュールを生成する際に前記無線電力伝送システムによって前記第２の階層の無線電力受信機よりも優先される、請求項１５に記載の無線電力伝送システム。
【請求項１８】
前記制御回路が、無線周波数電力を、前記第１の無線電力受信機が組み込まれている前記無線電力供給スケジュールに組み込まれた前記無線電力供給環境の前記無線電力受信機に供給するようにさらに構成される、請求項１５に記載の無線電力伝送システム。
【請求項１９】
前記制御回路が、無線電力供給のために前記第１の無線電力受信機を前記無線電力伝送システムと同期させるようにさらに構成される、請求項１５に記載の無線電力伝送システム。
【請求項２０】
プログラム命令が記憶された非一時的コンピュータ可読記憶媒体であって、無線電力伝送システムの１つ以上のプロセッサによって実行される場合に、前記命令によって前記無線電力伝送システムに、
前記無線電力供給環境において、ネットワーク共有メッセージを送信させ、
無線電力供給環境における第１の無線電力受信機によって開始され、前記第１の無線電力受信機を一意的に識別する無線電力の消費要求を処理させ、
前記第１の無線電力受信機が、前記無線電力伝送システムと同期した１組の無線電力受信機に属することを決定させ、
前記無線電力供給環境において、方向付けられた無線電力を複数の無線電力受信機に供給するための無線電力供給スケジュールを生成し、前記無線電力供給スケジュールは、前記第１の無線電力受信機に割り当てられた１以上のタイムスロットを含む前記複数の無線電力受信機の間でタイムスライスされ、
１以上のタイムスロット中に、方向付けられた無線電力を、前記第１の無線電力受信機に供給させる、コンピュータ可読記憶媒体。